(57)【要約】【課題】吸湿性を有する薬剤や酸化しやすい薬剤を収容して保存できる複室バッグを提供する。【解決手段】薬剤収容室１の一端側に弱シール部２を介して希釈液室３が連設される一方、前記薬剤収容室１の他端側に弱シール部２を介して口部４を有する空室５が連設される複室バッグであって、薬剤収容室１、希釈液室３及び空室５は、透明なフィルム材からなり、かつ、薬剤収容室１の両面を、アルミ層を備えたガスバリアフィルム６で剥離可能に覆う。【選択図】  図２
0003131605.tif 000002
【実用新案登録請求の範囲】
【請求項１】
薬剤収容室の一端側に弱シール部を介して希釈液室が連設される一方、前記薬剤収容室の他端側に弱シール部を介して口部を有する空室が連設される複室バッグであって、
前記薬剤収容室及び希釈液室は、透明なフィルム材からなり、かつ、前記薬剤収容室の両面を、気体及び液体を実質的に透過させないアルミ層を備えたガスバリアフィルムで剥離可能に被覆してなることを特徴とする複室バッグ。
【請求項２】
前記アルミ層は、アルミ箔であることを特徴とする請求項１に記載の複室バッグ。
【請求項３】
前記アルミ層は、樹脂層に対してアルミ蒸着されて形成されてなることを特徴とする請求項１に記載の複室バッグ。
【考案の詳細な説明】
【技術分野】
【０００１】
本考案は、薬剤と希釈液とを分離した状態で収容し、使用時に混合するようにした複室バッグに関する。
【背景技術】
【０００２】
従来この種の複室バッグは、例えば軟質の塩化ビニル製シートを融着手段によって融着して形成された薬剤収容室及び希釈液室と、薬剤収容室及び希釈液室の間に設けられた弱シール部とで構成されている。そして、使用時において、弱シール部を外部から圧迫して、薬剤収容室及び希釈液室を連通状態にし、薬剤と希釈液とを混合させている（例えば、特許文献１参照）。
【０００３】
【特許文献１】特公昭６３−３６４８５１号公報
【考案の開示】
【考案が解決しようとする課題】
【０００４】
しかしながら、従来の上記複室バッグは、保存に際して水分や酸素などによる経時変化を防止する手段がないため、吸湿性を有する薬剤や酸化しやすい薬剤を収容して保存するには不向きであるという問題がある。
【０００５】
本願考案は、このような実情に鑑みてなされ、吸湿性を有する薬剤や酸化しやすい薬剤を収容して保存できる複室バッグを提供することを目的とする。
【課題を解決するための手段】
【０００６】
（１）本考案の複室バッグは、薬剤収容室の一端側に弱シール部を介して希釈液室が連設される一方、前記薬剤収容室の他端側に弱シール部を介して口部を有する空室が連設される複室バッグであって、
前記薬剤収容室及び希釈液室は、透明なフィルム材からなり、かつ、前記薬剤収容室の両面を、気体及び液体を実質的に透過させないアルミ層を備えたガスバリアフィルムで剥離可能に被覆してなることを特徴とする。
【０００７】
この構成においては、気体及び液体を実質的に透過させないアルミ層を備えたガスバリアフィルムによって薬剤収容室の両面を剥離可能に被覆することで、乾燥剤や脱酸素剤を使用することなく、薬剤が酸素や水分の影響を受けないように保護することができる。
【０００８】
さらに、薬剤収容室の両面からガスバリアフィルムを剥がした場合、薬剤収容室の両方から光が透過するようになり、外部から薬剤収容室の内部を透視することができ、収容された薬剤の状態及び弱シール部を破断して希釈液室から薬剤収容室に希釈液を導入して薬剤に混合したときに不溶性異物の有無等を明確に確認することができる。このようなガスバリアフィルムは、例えばアルミ箔又は樹脂層に対してアルミ蒸着されて形成されることが好ましい。また、製造工程においても異物の混入等を明確に検出することができる。
【０００９】
そして、その薬剤収容室と弱シール部を介して口部を有する空室を連設しているため、必ず薬剤が希釈液で希釈された状態で空室を介して投与されるため、誤った投与の発生を防ぐことができる。また、上記ガスバリアフィルムで覆われた薬剤収容室と弱シール部を介して口部を有する空室を連設しているため、口部及びその周辺においては、バリア性であることが要件とされず、その分材料費を低減することができる。
【考案の効果】
【００１０】
本考案の複室バッグは、弱シール部を介して希釈液室が連設される薬剤収容室に弱シール部を介して口部を有する空室を連設すると共に、薬剤収容室の外側を、気体及び液体を実質的に透過させないアルミ層を備えたガスバリアフィルムで剥離可能に被覆するようにしたので、バリア性の向上が図られ、乾燥剤や脱酸素剤を使用することなく、薬剤が酸素や水分の影響を受けないようにすることができる。
【００１１】
そして、薬剤収容室の両面からガスバリアフィルムを剥がした場合は、外部から薬剤収容室の内部を透視することができ、収容された薬剤の状態及び薬剤に希釈液を混合したときに不溶性異物の有無等を明確に確認することができる。
【００１２】
また、必ず薬剤が希釈液で希釈された状態で空室を介して投与されるため、誤った投与の発生を防ぐことができる。また、口部及びその周辺においては、バリア性であることが要件とされず、その分材料費を低減することができる。
【考案を実施するための最良の形態】
【００１３】
以下に、本考案の最良の実施の形態に係る複室バッグについて図面を参照しつつ詳細に説明する。
図１は複室バッグの正面図、図２は図１の側断面図、図３はガスバリアフィルムを剥がした状態の正面図である。図１〜図３にて、符号１は、抗生剤等の各種薬剤を収納する薬剤収容室、２は弱シール部、３は希釈液室、４は口部、５は空室、６はアルミ層を備えたガスバリアフィルム、７は吊り孔である。この複室バッグは、薬剤収容室１の一端側に弱シール部２を介して希釈液室３が連設される一方、前記薬剤収容室１の他端側に弱シール部２を介して口部４を有する空室５が連設され、薬剤収容室１、希釈液室３及び空室５は、透明なフィルム材からなり、かつ、薬剤収容室１の外側の両面は、気体及び液体を実質的に透過させないアルミ層を備えたガスバリアフィルム６で剥離可能に覆われている。なお、図中６ａはガスバリアフィルム６のつまみである。
【００１４】
薬剤収容室１、希釈液室３及び空室５を形成するフィルム材は、例えば、内面側から順にポリエチレン（ＰＥ）とポリプロピレン（ＰＰ）の混合樹脂層（厚さ２０μｍ）１１、ポリエチレン（ＰＥ）層（厚さ６０μｍ）１２、シクロオレフィンコポリマー（ＣＯＣ）層又はシクロオレフィンポリマー（ＣＯＰ）層（厚さ２０μｍ）１３、ポリエチレン（ＰＥ）層（厚さ５０μｍ）１２が積層され、２枚のフィルム材の周縁部同士が溶着され、かつ、その薬剤収容室１と希釈液室３の間、及び、薬剤収容室１と空室５の間には、それぞれ弱シールが施されて弱シール部２が形成されている。
【００１５】
一方、薬剤収容室１の外側の両面を覆う上記ガスバリアフィルム６は、例えば、内面側から順にポリエチレン（ＰＥ）とポリプロピレン（ＰＰ）の混合樹脂層／接着剤層／アルミ箔／接着剤層／ポリエチレンテレフタレート（ＰＥＴ）が積層されてもよく、又は、内面側から順にポリエチレン（ＰＥ）とポリプロピレン（ＰＰ）の混合樹脂層／接着剤層／アルミ箔／接着剤層／ナイロン／ポリエチレンテレフタレート（ＰＥＴ）が積層されてもよく、或いは、内面側から順にポリエチレン（ＰＥ）とポリプロピレン（ＰＰ）の混合樹脂層／接着剤層／アルミ箔／接着剤層／ナイロン／２軸延伸ポリプロピレン（ＯＰＰ）が積層されてもよい。
【００１６】
このようなガスバリアフィルム６で薬剤収容室１の外側を覆うことによって、乾燥剤や脱酸素剤を使用することなく、薬剤が酸素や水分の影響を受けないようにすることができる。
【００１７】
そして、図３に示すように、つまみ６ａを把持して薬剤収容室１の外側の両面側からガスバリアフィルム６を剥がすことによって、外部から薬剤収容室１の内部を透視することができ、収容された薬剤の状態及び弱シール部２を破断して希釈液室３から薬剤収容室１に希釈液を導入して薬剤に混合したときに不溶性異物の有無等を明確に確認することができる。また、製造工程においても異物の混入等を明確に検出することができる。
【００１８】
その薬剤収容室１と弱シール部２を介して口部４を有する空室５を連設しているため、必ず薬剤が希釈液で希釈された状態で空室５を介して投与されるため、誤った投与の発生を防ぐことができる。また、上記ガスバリアフィルム６で覆われた薬剤収容室１と弱シール部２を介して口部４を有する空室５を連設しているため、口部４及びその周辺においては、バリア性であることが要件とされず、その分材料費を低減することができる。
【００１９】
なお、本考案は、前記実施の形態に限定されることなく、考案の要旨を逸脱しない限りにおいて、適宜、必要に応じて、設計変更や改良等を行うのは自由であり、また、各実施の形態間での流用・転用も自由である。
【図面の簡単な説明】
【００２０】
【図１】本考案の実施の形態に係る複室バッグの正面図である。
【図２】図１の側断面図である。
【図３】ガスバリアフィルムを剥がした状態の正面図である。
【符号の説明】
【００２１】
１…薬剤収容室、２…弱シール部、３…希釈液室、４…口部、５…空室、６…ガスバリアフィルム
【図１】
0003131605.tif 000003
【図２】
0003131605.tif 000004
【図３】
0003131605.tif 000005